(57)【特許請求の範囲】
【請求項１】
動画を再生して表示する再生モードおよび該再生モードにより表示されている動画を一時的に静止させて該動画を構成するフレーム画像を表示する静止モードを有する再生手段と、
表示されたフレーム画像を静止画として取り出すことを指示するための入力を行う入力手段と、
前記入力手段により取り出しが指示されたフレーム画像を静止画として取り出すための取り出し手段と、
前記取り出し手段によって取り出されたフレーム画像を記録する記録手段とを備え、
前記入力手段により取り出しが指示されたフレーム画像と同一の画像が既に前記記録手段に記録されている場合、当該フレーム画像を静止画として取り出さずに、再生モードであるか静止モードであるかを判断し、前記静止モードであると判断された場合に、第１の数のフレーム送りを行い、該フレーム送りにより得られたフレーム画像を前記取り出しが指示されたフレーム画像として前記取り出し手段により取り出し、前記再生モードであると判断された場合には、前記取り出し手段によるフレーム画像の取り出しを行わないことを特徴とする画像処理装置。
【請求項２】
前記取り出し手段は、最初に第１の数のフレーム送りを行い、該フレーム送りにより得られたフレーム画像と同一の画像が既に前記記録手段に記録されている場合、前記取り出しが指示されたフレーム画像と異なるフレーム画像が得られるまで、第２の数のフレーム送りを行うことを特徴とする請求項１記載の画像処理装置。
【請求項３】
ユーザの入力操作に基づいて、前記第１の数を予め設定するフレーム数設定手段を備えることを特徴とする請求項１または２記載の画像処理装置。
【請求項４】
再生する動画を構成するフレーム数に応じて、前記第１の数を設定するフレーム数設定手段を備えることを特徴とする請求項１または２記載の画像処理装置。
【請求項５】
前記第１の数と前記第２の数は、同じ数であることを特徴とする請求項２記載の画像処理装置。
【請求項６】
前記第１の数と前記第２の数は、異なる数であることを特徴とする請求項２記載の画像処理装置。
【請求項７】
動画のフレーム毎に一意に特定可能なフレーム識別番号が付与されており、
前記フレーム識別番号を用いて、前記取り出しが指示されたフレーム画像と同一の画像が既に前記記録手段に記録されているか否かを判定する判定手段を有することを特徴とする請求項１ないし６のいずれか１項に記載の画像処理装置。
【請求項８】
動画を再生して表示する再生モードおよび該再生モードにより表示されている動画を一時的に静止させて該動画を構成するフレーム画像を表示する静止モードを有する再生手段と、表示されたフレーム画像を静止画として取り出すことを指示するための入力を行う入力手段と、前記入力手段により取り出しが指示されたフレーム画像を静止画として取り出すための取り出し手段と、前記取り出し手段によって取り出されたフレーム画像を記録する記録手段とを備える画像処理装置の制御方法であって、
前記入力手段により取り出しが指示されたフレーム画像と同一の画像が既に前記記録手段に記録されている場合、当該フレーム画像を静止画として取り出さずに、再生モードであるか静止モードであるかを判断する工程と、
前記静止モードであると判断された場合に、第１の数のフレーム送りを行い、該フレーム送りにより得られたフレーム画像を前記取り出しが指示されたフレーム画像として前記取り出し手段により取り出すように制御する工程と、
前記再生モードであると判断された場合には、前記取り出し手段によるフレーム画像の取り出しを行わないように制御する工程と
を有することを特徴とする画像処理装置の制御方法。
【請求項９】
動画を再生して表示する再生モードおよび該再生モードにより表示されている動画を一時的に静止させて該動画を構成するフレーム画像を表示する静止モードを有する再生手段と、表示されたフレーム画像を静止画として取り出すことを指示するための入力を行う入力手段と、前記入力手段により取り出しが指示されたフレーム画像を静止画として取り出すための取り出し手段と、前記取り出し手段によって取り出されたフレーム画像を記録する記録手段とを備える画像処理装置を制御するためのプログラムであって、
前記入力手段により取り出しが指示されたフレーム画像と同一の画像が既に前記記録手段に記録されている場合、当該フレーム画像を静止画として取り出さずに、再生モードであるか静止モードであるかを判断するステップと、
前記静止モードであると判断された場合に、第１の数のフレーム送りを行い、該フレーム送りにより得られたフレーム画像を前記取り出しが指示されたフレーム画像として前記取り出し手段により取り出すように制御するステップと、
前記再生モードであると判断された場合には、前記取り出し手段によるフレーム画像の取り出しを行わないように制御するステップと
をコンピュータにより実行させることを特徴とするプログラム。
【請求項１０】
請求項９に記載のプログラムをコンピュータにより読み取り可能に格納したことを特徴とする記憶媒体。
【発明の詳細な説明】
【技術分野】
【０００１】
本発明は、動画を構成するフレーム画像を静止画として取り出すことが可能な画像処理装置、その制御方法、プログラムおよび記憶媒体に関する。
【背景技術】
【０００２】
近年、デジタルカメラ、デジタルビデオカメラなど、動画を撮影可能な撮影装置が一般に普及している。このような撮影装置で撮影された動画を構成するフレーム画像のうち、１枚または複数枚のフレーム画像を静止画として取り出し、鑑賞、印刷、または加工することが広く行われている。
【０００３】
動画から静止画を取り出す方法としては、動画を再生しながら、所望のフレーム画像が表示されたときに、動画の再生動作を一時停止し、キーボードまたはマウスなどによる入力操作により、そのフレーム画像を指定して取り出すというものがある。
【発明の開示】
【発明が解決しようとする課題】
【０００４】
しかしながら、上述した動画から静止画を取り出す方法においては、ユーザが表示されたフレーム画像を見て取り出すか否かを判断する。これにより、取り出そうとするフレーム画像が既に取り出された画像であると気づかずに、このフレーム画像を取り出すための操作を行うことがある。その結果、同一のフレーム画像が繰り返し取り出される場合がある。
【０００５】
本発明の目的は、動画を構成するフレーム画像を静止画として取り出す際に、同一のフレーム画像が繰り返し取り出されることを未然に防止することができる画像処理装置、その制御方法、プログラムおよび記憶媒体を提供することにある。
【課題を解決するための手段】
【０００６】
本発明は、上記目的を達成するため、動画を再生して表示する再生モードおよび該再生モードにより表示されている動画を一時的に静止させて該動画を構成するフレーム画像を表示する静止モードを有する再生手段と、表示されたフレーム画像を静止画として取り出すことを指示するための入力を行う入力手段と、前記入力手段により取り出しが指示されたフレーム画像を静止画として取り出すための取り出し手段と、前記取り出し手段によって取り出されたフレーム画像を記録する記録手段とを備え、前記入力手段により取り出しが指示されたフレーム画像と同一の画像が既に前記記録手段に記録されている場合、当該フレーム画像を静止画として取り出さずに、再生モードであるか静止モードであるかを判断し、前記静止モードであると判断された場合に、第１の数のフレーム送りを行い、該フレーム送りにより得られたフレーム画像を前記取り出しが指示されたフレーム画像として前記取り出し手段により取り出し、前記再生モードであると判断された場合には、前記取り出し手段によるフレーム画像の取り出しを行わないことを特徴とする画像処理装置を提供する。
【０００７】
本発明は、上記目的を達成するため、動画を再生して表示する再生モードおよび該再生モードにより表示されている動画を一時的に静止させて該動画を構成するフレーム画像を表示する静止モードを有する再生手段と、表示されたフレーム画像を静止画として取り出すことを指示するための入力を行う入力手段と、前記入力手段により取り出しが指示されたフレーム画像を静止画として取り出すための取り出し手段と、前記取り出し手段によって取り出されたフレーム画像を記録する記録手段とを備える画像処理装置の制御方法であって、前記入力手段により取り出しが指示されたフレーム画像と同一の画像が既に前記記録手段に記録されている場合、当該フレーム画像を静止画として取り出さずに、再生モードであるか静止モードであるかを判断する工程と、前記静止モードであると判断された場合に、第１の数のフレーム送りを行い、該フレーム送りにより得られたフレーム画像を前記取り出しが指示されたフレーム画像として前記取り出し手段により取り出すように制御する工程と、前記再生モードであると判断された場合には、前記取り出し手段によるフレーム画像の取り出しを行わないように制御する工程とを有することを特徴とする画像処理装置の制御方法を提供する。
【０００８】
本発明は、上記目的を達成するため、動画を再生して表示する再生モードおよび該再生モードにより表示されている動画を一時的に静止させて該動画を構成するフレーム画像を表示する静止モードを有する再生手段と、表示されたフレーム画像を静止画として取り出すことを指示するための入力を行う入力手段と、前記入力手段により取り出しが指示されたフレーム画像を静止画として取り出すための取り出し手段と、前記取り出し手段によって取り出されたフレーム画像を記録する記録手段とを備える画像処理装置を制御するためのプログラムであって、前記入力手段により取り出しが指示されたフレーム画像と同一の画像が既に前記記録手段に記録されている場合、当該フレーム画像を静止画として取り出さずに、再生モードであるか静止モードであるかを判断するステップと、前記静止モードであると判断された場合に、第１の数のフレーム送りを行い、該フレーム送りにより得られたフレーム画像を前記取り出しが指示されたフレーム画像として前記取り出し手段により取り出すように制御するステップと、前記再生モードであると判断された場合には、前記取り出し手段によるフレーム画像の取り出しを行わないように制御するステップとをコンピュータにより実行させることを特徴とするプログラムを提供する。
【０００９】
本発明は、上記目的を達成するため、上記プログラムをコンピュータにより読み取り可能に格納したことを特徴とする記憶媒体を提供する。
【発明の効果】
【００１０】
本発明によれば、動画を構成するフレーム画像を静止画として取り出す際に、同一のフレーム画像が繰り返し取り出されることを未然に防止することができる。
【発明を実施するための最良の形態】
【００１１】
以下、本発明の実施の形態について図面を参照しながら説明する。
【００１２】
（第１の実施の形態）
図１は本発明の第１の実施の形態に係る画像処理装置のハードウェア構成を示すブロック図である。
【００１３】
画像処理装置１００は、図１に示すように、ＣＰＵ１０１、メモリ１０２、入力装置１０３、表示装置１０４、および記録装置１０５を備え、これらは、バス１０６を介して相互に接続されている。ＣＰＵ１０１は、メモリ１０２または記録装置１０５に記録されているプログラムを実行し、画像処理装置１００全体の動作を制御する。メモリ１０２には、各種のプログラムおよびデータが記録される。入力装置１０３は、マウス、キーボードなどを有し、これらを操作することによって入力を行う。表示装置１０４は、液晶表示装置などから構成される。記録装置１０５は、ハードディスクやメモリカードなどからで構成され、記録装置１０５には、動画像データ、静止画データ、ＯＳ（Operating System）プログラム、アプリケーションプログラムなどが記録される。
【００１４】
上記メモリまたは記録装置１０５に記録されているプログラムには、再生モジュールと、入力モジュールと、取り出しモジュールを有するプログラムが含まれる。再生モジュールは、記録装置１０５または外部から入力された動画を再生して表示装置１０４に表示する再生モードおよびポーズモード（静止モード）を実行するためのモジュールである。ポーズモードは、再生モードにより表示されている動画を一時的に静止させて該動画を構成するフレーム画像を表示するモードである。
【００１５】
入力モジュールは、入力装置１０３を介して、ポーズモードにより表示されたフレーム画像を静止画として取り出すことを指示するための入力（キャプチャ操作）を行うモジュールである。取り出しモジュールは、入力モジュールで取り出しが指示されたフレーム画像を静止画として取り出すための静止画取り出し処理を行うモジュールである。記録モジュールは、取り出しモジュールで取り出されたフレーム画像を記録装置１０５に記録するためのモジュールである。
【００１６】
ここで、上記取り出しモジュールは、取り出しが指示されたフレーム画像と同一の画像が既に記録装置１０５に記録されている場合、取り出しが指示されたフレーム画像と異なるフレーム画像が得られるまで、フレームの先送りを行うように再生モジュールを制御し、該フレームの先送りにより得られたフレーム画像を取り出しが指示されたフレーム画像として取り出す。
【００１７】
また、上記メモリまたは記録装置１０５に記録されているプログラムには、再生モードからポーズモードへまたはその逆の切替え指示、上記キャプチャ操作指示などを行うためのグラフィカルユーザインタフェースを構築するプログラムが含まれる。
【００１８】
次に、上記グラフィカルユーザインタフェース（以下、ＧＵＩという）について図２を参照しながら説明する。図２は図１の画像処理装置のグラフィカルユーザインタフェース（ＧＵＩ）の操作画面の一例を示す図である。
【００１９】
画像処理装置１００には、ＣＰＵ１０１が対応するプログラムを実行することによって、ＧＵＩが構築される。ＧＵＩは、入力装置１０３からの入力操作に応じて、図２に示すような操作画面２００を表示装置１０４に表示する。この操作画面２００には、動画再生操作画面２０１、取り出しボタン２０６およびサムネイル画像表示画面２０７が含まれる。
【００２０】
動画再生操作画面２０１は、動画を再生モードまたはポーズモードで画面２０２に表示するための操作を行う画面である。動画再生操作画面２０１には、上記画面２０２、再生ボタン２０３、ポーズボタン２０４、スライダバー２０５が表示される。再生ボタン２０３が入力装置１０３のマウスなどの操作によりクリックされると、動画が再生され、再生された動画が画面２０２に表示される。また、動画再生中に、ポーズボタン２０４が上記マウスなどの操作によりクリックされると、再生が一時停止され、再生が停止された時点の動画を構成するフレーム画像が画面２０２に表示される。スライダバー２０５は、画面２０２に表示されているフレーム画像が動画の時間軸中のどの位置にあるフレーム画像であるかを表すための指標として動作する。すなわち、スライダバー２０５は、再生されるフレーム画像の位置に応じて移動する。また、このスライダバー２０５を上記マウスなどの操作により動かすことによって、対応する位置のフレーム画像を画面２０２に表示することもできる。
【００２１】
取り出しボタン２０６は、静止画の取り出しを指示するためのボタンである。この取り出しボタン２０６が上記マウスなどの操作によりクリックされると、画面２０２に表示されているフレーム画像を静止画として取り出すことが指示される。この取り出しボタン２０６をクリックする操作をキャプチャ操作ということにする。
【００２２】
次に、上記取り出しモジュールによる静止画取り出し処理について図３を参照しながら説明する。図３は図１の画像処理装置における静止画取り出し処理の手順を示すフローチャートである。図３のフローチャートが示す手順は、対応するプログラムに従ってＣＰＵ１０１により実行されるものである。ここで、静止画取り出し処理は、上記動画再生操作画面２０１が表示されている状態で行われる処理である。
【００２３】
ＣＰＵ１０１は、図３に示すように、上記動画再生操作画面２０１上で、ユーザにより、取り出しボタン２０６をクリックするキャプチャ操作が行われた否かを監視する（ステップＳ３０１）。そして、上記キャプチャ操作が行われると、ＣＰＵ１０１は、このキャプチャ操作により指定されたフレーム画像が取り出し済み（キャプチャ済み）であるか否かを判定する（ステップＳ３０２）。
【００２４】
上記判定には、動画記録時にフレーム毎に一意に特定可能なフレーム番号が用いられる。具体的には、指定されたフレーム画像のフレーム番号と、メモリ１０２または記録装置１０５に記録されているフレーム画像のフレーム番号とが比較される。そして、両者のフレーム番号が一致すると場合、指定されたフレーム画像は、取り出し済みである判定される。また、上記判定方法に代えて、指定されたフレーム画像とメモリ１０２または記録装置１０５に記録されているフレーム画像とを比較し、この比較結果に基づいて指定されたフレーム画像が取り出し済みであるか否かを判定する方法を用いてもよい。
【００２５】
上記ステップＳ３０２においてキャプチャ操作により指定されたフレーム画像が取り出し済みでないと判定されると、ＣＰＵ１０１は、上記指定されたフレーム画像を静止画として取り出す（キャプチャする）（ステップＳ３０４）。そして、ＣＰＵ１０１は、本処理を終了する。
【００２６】
上記ステップＳ３０２において指定されたフレーム画像が取り出し済みであると判定された場合、ＣＰＵ１０１は、現在のモードが再生モードであるか否かを判定する（ステップＳ３０３）。これは、キャプチャ操作後にポーズモードから再生モードへの切替えが行われたか否かを判定するためである。ここで、現在のモードが再生モードであると判定されると、ＣＰＵ１０１は、本処理を終了する。
【００２７】
上記ステップＳ３０３において現在のモードが再生モードでないと判定された場合、すなわち現在モードがポーズモードである場合、ＣＰＵ１０１は、予め決められている先送りフレーム数ｎ分、フレームの先送りを行う（ステップＳ３０５）。
【００２８】
この先送りフレーム数ｎは、予め決められている固定の枚数とされてもよいし、ユーザにより任意に設定されるようにしてもよい。また、動画像を撮影した撮影装置毎に単位位時間当たりの撮影フレーム数が異なる場合がある。この場合、単位位時間当たりの撮影フレーム数に応じて、先送りフレーム枚が決定されるようにしてもよい。例えば単位時間当たりの撮影フレーム数が多い場合、先送りフレーム数が多くされ、単位時間当たりの撮影フレーム数が少ない場合、先送りフレーム数が少なくされる。
【００２９】
次いで、ＣＰＵ１０１は、上記先送りにより得られたフレーム画像が取り出し済みであるか否かを判定する（ステップＳ３０６）。ここで、上記先送りにより得られたフレーム画像が取り出し済みであると判定された場合、ＣＰＵ１０１は、フレームを現在のフレームから１フレーム分先送りする（ステップＳ３０７）。そして、ＣＰＵ１０１は、再度、上記ステップＳ３０６に戻り、先送りにより得られたフレーム画像が取り出し済みであるか否かを判定する。このように、フレーム枚ｎ分のフレームの先送り後は、取り出し済みでないフレームが得られるまで、フレームが１フレーム分ずつ先送りされる。ここでは、１フレームずつ先送りするようにしているが、これに限定されることはなく、任意のフレーム数分のフレームの先送りを行うようにしてもよい。例えば２フレームずつ先送りするようにしてもよい。
【００３０】
上記ステップＳ３０６において上記先送りにより得られたフレーム画像が取り出し済みでないと判定された場合、ＣＰＵ１０１は、上記先送りに得られたフレーム画像を静止画として取り出す（ステップＳ３０４）。そして、ＣＰＵ１０１は、本処理を終了する。
【００３１】
このように、本実施の形態によれば、動画を構成するフレーム画像を静止画として取り出す際に、同一のフレーム画像が繰り返し取り出されることを未然に防止することができる。特に、フレーム画像を静止画として連続して取り出す際に、重複することなく、異なるフレーム画像を簡単な操作で取り出すことができる。また、同一のフレーム画像が取り出されて記録装置１０５に記録されることがなくなり、記録装置１０５の記録容量が無駄に消費されることを未然に防止することができる。
【００３２】
（第２の実施の形態）
次に、本発明の第２の実施の形態について図４を参照しながら説明する。図４は本発明の第２の実施の形態に係る画像処理装置のグラフィカルユーザインタフェース（ＧＵＩ）の操作画面の一例を示す図である。
【００３３】
本実施の形態は、上記第１の実施の形態に対し、ユーザにより先送りフレームが設定される点、および、フレーム画像およびサムネイル画像に対応するフレーム番号を重ね合わせて表示する点で、異なる。その他の構成は、上記第１の実施の形態と同じであるので、その説明は省略する。そして、ここでは、上記第１の実施の形態と異なる点についてのみを説明する。
【００３４】
本実施の形態において、ＣＰＵ１０１が対応するプログラムを実行することによって構築されるＧＵＩは、入力装置１０３からの入力に応じて、図４に示すような操作画面４００を表示装置１０４に表示する。この操作画面４００には、動画再生操作画面４０１、取り出しボタン４０６、サムネイル画像表示画面４０７および先送りフレーム数入力欄４０８が含まれる。ここで、動画再生操作画面４０１、取り出しボタン４０６、サムネイル画像表示画面４０７は、それぞれ、上記第１の実施の形態の動画再生操作画面２０１、取り出しボタン２０６、サムネイル画像表示画面２０７に相当する。また、動画再生操作画面４０１に表示される画面４０２、再生ボタン４０３、ポーズボタン４０４、スライダバー４０５は、それぞれ、上記第１の実施の形態の画面２０２、再生ボタン２０３、ポーズボタン２０４、スライダバー２０５に相当する。
【００３５】
先送りフレーム数入力欄４０８には、入力装置１０４を介して、ユーザによりフレーム数が入力される。この入力されたフレーム数は、キャプチャ操作により指定されたフレーム画像が取り出し済みである場合の先送りフレーム数ｎとして設定される。
【００３６】
また、本実施の形態においては、画面４０２にポーズモードでフレーム画像が表示される場合、このフレーム画像に付与されているフレーム番号４０９がフレーム画像に重ね合わせて表示される。また、サムネイル画像表示画面４０７に表示されるサムネイル画像にも、対応するフレーム番号が重ね合わせて表示される。
【００３７】
本実施の形態において、キャプチャ操作により指定されたフレーム画像が取り出し済み（キャプチャ済み）であり（図３のステップＳ３０２）、かつ現在のモードがポーズモードである場合（ステップＳ３０３）、フレームの先送りが行われる（ステップＳ３０５）。
【００３８】
ここで、上記フレームの先送りにおいては、先送りフレーム数入力欄４０８に入力されたフレーム数分の先送りが行われることになる。そして、このフレームの先送りにより得られたフレーム画像が取り出し済みでないと（ステップＳ３０６）、当該フレーム画像が取り出される（キャプチャされる）。これに対し、上記フレームの先送りにより得られたフレーム画像が取り出し済みであると（ステップＳ３０６）、当該フレームからさらに１フレーム分のフレームの先送りが行われることになる（ステップＳ３０７）。そして、以降、取り出し済みでないフレーム画像が得られるまで、１フレームずつ（または所定のフレーム数分）のフレームの先送りが行われる。
【００３９】
このように、本実施の形態によれば、上記第１の実施の形態と同様の効果を得ることができる。
【００４０】
上述した各実施の形態においては、操作画面に表示される取り出しボタン、再生ボタン、ポーズボタンなどをマウスなどの操作によりクリックする場合を説明したが、このような取り出しボタン、再生ボタン、ポーズボタンなどをユーザの指によりタッチ操作可能なソフトキーとして表示装置に表示するようにしてもよい。
【００４１】
また、上述した各実施の形態においては、動画の再生をソフトウェアにより行う場合を示したが、動画を再生する手段としてハードウェア構成のものを用いることも可能である。
【００４２】
また、本発明の目的は、前述した各実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても達成される。
【００４３】
この場合、記憶媒体から読み出されたプログラムコード自体が前述した各実施の形態の機能を実現することになり、そのプログラムコード及び該プログラムコードを記憶した記憶媒体は本発明を構成することになる。
【００４４】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷなどの光ディスク、磁気テープ、不揮発性のメモリカード、ＲＯＭ等を用いることができる。または、プログラムコードを、ネットワークを介してダウンロードしてもよい。
【００４５】
また、コンピュータが読み出したプログラムコードを実行することにより、前述した各実施の形態の機能が実現されるだけではなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００４６】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その拡張機能を拡張ボードや拡張ユニットに備わるＣＰＵ等が実際の処理の一部または全部を行い、その処理によって前述した各実施の形態の機能が実現される場合も含まれる。
【図面の簡単な説明】
【００４７】
【図１】本発明の第１の実施の形態に係る画像処理装置のハードウェア構成を示すブロック図である。
【図２】図１の画像処理装置のグラフィカルユーザインタフェース（ＧＵＩ）の操作画面の一例を示す図である。
【図３】図１の画像処理装置における静止画取り出し処理の手順を示すフローチャートである。
【図４】本発明の第２の実施の形態に係る画像処理装置のグラフィカルユーザインタフェース（ＧＵＩ）の操作画面の一例を示す図である。
【符号の説明】
【００４８】
１００  画像処理装置
１０１  ＣＰＵ
１０２  メモリ
１０３  入力装置
１０４  表示装置
１０５  記録装置
２００，４００  操作画面
２０１，４０１  動画再生操作画面
２０３，４０３  再生ボタン
２０４，４０４  ポーズボタン
２０６，４０６  取り出しボタン
４０８  先送りフレーム数入力欄
【図１】
0004682024.tif 000002
【図２】
0004682024.tif 000003
【図３】
0004682024.tif 000004
【図４】
0004682024.tif 000005